(57)【要約】【課題】回転ドラムと給排気ファンとを共通の駆動モータにより夫々ベルトを介して回転させるようにした衣類乾燥機であって、異常時に加熱手段の作動を停止した状態で駆動モータを継続作動させる冷却運転を行うものにおいて、乾燥運転中にベルト切れ等による回転ドラムまたは給排気ファンの回転異常を生じたときにも、衣類を十分に冷却できるようにする。【解決手段】回転ドラムの異常時（ＦＤ＝１）の冷却運転時間ＴＭ２を他の異常時の冷却運転時間ＴＭ１より長くする。給排気ファンの異常時（ＦＦ＝１）の冷却運転時間ＴＭ３は、回転ドラムの異常時よりも更に長くする。【選択図】  図４
2004248902.tif 000002
【特許請求の範囲】
【請求項１】
衣類を収納する回転ドラムと、回転ドラムに対する給気と排気とを行う給排気ファンと、回転ドラムに対する給気通路に配置した加熱手段と、回転ドラムと給排気ファンとを駆動する共通の駆動モータとを備える衣類乾燥機であって、
駆動モータの作動で回転ドラムと給排気ファンとを回転させると共に加熱手段を作動させて回転ドラム内に温風を供給する乾燥運転中に異常が発生したとき、加熱手段の作動を停止した状態で駆動モータを継続作動させる冷却運転を行うものにおいて、
回転ドラムの回転速度が異常判別基準となる所定速度以下に低下した回転ドラムの異常時と、給排気ファンの回転速度が異常判別基準となる所定速度以下に低下した給排気ファンの異常時には、冷却運転の時間を他の異常時よりも長くすることを特徴とする衣類乾燥機。
【請求項２】
給排気ファンの異常時には、冷却運転の時間を回転ドラムの異常時よりも長くすることを特徴とする請求項１に記載の衣類乾燥機。
【発明の詳細な説明】
【０００１】
【発明の属する技術分野】
本発明は、衣類を収納する回転ドラムと、回転ドラムに対する給気と排気とを行う給排気ファンと、回転ドラムに対する給気通路に配置した加熱手段とを備える衣類乾燥機に関する。
【０００２】
【従来の技術】
この種の衣類乾燥機では、回転ドラムを回転させつつ給排気ファンと加熱手段との作動で回転ドラム内に温風を供給して、乾燥運転を行うが、乾燥運転中に温風温度の過度の上昇や、排気温度の過度の上昇、回転ドラムの排気フィルタの詰まりといった異常を生ずることがある。
【０００３】
従来、乾燥運転中にこれらの異常を生じたときは、加熱手段の作動を停止した状態で給排気ファンを継続作動させる冷却運転を行い、衣類や機器がダメージを受けないようにしている。
【０００４】
また、回転ドラムと給排気ファンは、一般的に、共通の駆動モータにより夫々ベルトを介して駆動されるようになっている。そして、乾燥運転中にベルトの破断等により回転ドラムの回転速度が異常判別基準となる所定速度以下に低下する回転ドラムの異常や、給排気ファンの回転速度が異常判別基準となる所定速度以下に低下する給排気ファンの異常を生ずることもある。
【０００５】
そこで、従来、回転ドラムや給排気ファンの異常を生じたときは、加熱手段の作動を停止すると共に、エラー表示を行うようにしたものが知られている（例えば、特許文献１参照）。
【０００６】
【特許文献１】
特開平１４−３１５９９９号公報（第３〜第５頁、図３〜図６）
【０００７】
【発明が解決しようとする課題】
上記特許文献１には、乾燥運転中に回転ドラムまたは給排気ファンの異常を生じたときは、加熱手段の作動を停止してエラー表示する、と記載されているだけで、冷却運転については記載されていないが、衣類のダメージを回避するには、加熱手段の作動を停止させた状態でドラム及びファンの共通駆動モータを継続作動させて冷却運転を行うことが望まれる。
【０００８】
ここで、回転ドラムの異常時は、回転ドラムによる衣類の十分な攪拌が行われなくなるため、衣類に効率良く風を当てることができなくなり、また、給排気ファンの異常時には、回転ドラム内に十分に風を送ることができなくなり、何れにしても冷却能力が低下する。
【０００９】
本発明は、以上の点に鑑み、回転ドラムまたは給排気ファンの異常を生じたときにも、衣類を十分に冷却できるようにした衣類乾燥機を提供することをその課題としている。
【００１０】
【課題を解決するための手段】
上記課題を解決するために、本発明は、衣類を収納する回転ドラムと、回転ドラムに対する給気と排気とを行う給排気ファンと、回転ドラムに対する給気通路に配置した加熱手段と、回転ドラムと給排気ファンとを駆動する共通の駆動モータとを備える衣類乾燥機であって、駆動モータの作動で回転ドラムと給排気ファンとを回転させると共に加熱手段を作動させて回転ドラム内に温風を供給する乾燥運転中に異常が発生したとき、加熱手段の作動を停止した状態で駆動モータを継続作動させる冷却運転を行うものにおいて、回転ドラムの回転速度が異常判別基準となる所定速度以下に低下した回転ドラムの異常時と、給排気ファンの回転速度が異常判別基準となる所定速度以下に低下した給排気ファンの異常時には、冷却運転の時間を他の異常時よりも長くしている。
【００１１】
上記の構成によれば、回転ドラムまたは給排気ファンの異常で冷却能力が低下していても、冷却運転時間を長くすることで衣類を十分に冷却して、衣類がダメージを受けることを回避できる。
【００１２】
尚、回転ドラムの異常時は、冷却運転中、給排気ファンの回転により回転ドラム内に冷風が供給されて、衣類が強制冷却されるが、給排気ファンの異常時は、冷却運転中、衣類は主として回転ドラムの回転で攪拌されつつ自然放冷されることになる。そのため、給排気ファンの異常時は、回転ドラムの異常時より衣類は冷却され難くなる。従って、給排気ファンの異常時には、冷却運転の時間を回転ドラムの異常時よりも長くし、衣類を時間をかけて冷却することが望ましい。
【００１３】
【発明の実施の形態】
図１を参照して、１は衣類乾燥機の機体であり、機体１内には、衣類Ｍが投入される回転ドラム２が設けられている。機体１の下面にはフィルタ３ａ付きの給気口３が開設されている。また、回転ドラム２の背面には、フィルタ４ａ付きの排気口４が開設されており、この排気口４に連通する排気ダクト５が機体１内の後部に設けられている。そして、排気ダクト５内に、回転ドラム２内の空気を排気口４を介して排気しつつ、給気口３からの空気を回転ドラム２内に供給する給排気ファン６を配置している。回転ドラム２と給排気ファン６とは、共通の駆動モータ７により、夫々、ベルト２ａ，６ａを介して回転駆動される。
【００１４】
また、機体１内には、回転ドラム２に対する給気口３からの空気の給気通路に位置させて、加熱手段たるバーナ８と、バーナ８の燃焼排ガスを空気と共に温風として回転ドラム２内に導く燃焼筐９とが配置されている。バーナ８に対するガス供給路８ａには、第１と第２の一対の電磁弁１０，１１と、比例弁１２とが介設されている。また、燃焼筐９には、バーナ８に点火する点火電極１３と、失火検知のための第１サーモカップル１４と、過熱検知のための第２サーモカップル１５と、バイメタルスイッチから成る第１オーバーヒートスイッチ１６（作動温度１５０℃）と、回転ドラム２に供給される温風の温度を検出する吹出温センサ１７とが設けられている。
【００１５】
センサ類としては、更に、回転ドラム２のドア１８の開閉を検出するドアスイッチ１９と、回転ドラム２内の衣類Ｍの温度を検出する衣類温センサ２０と、回転ドラム２内の衣類Ｍに接触する一対の電極２１ａ，２１ｂ間の抵抗変化から衣類Ｍの乾燥度合いを検出する電極センサ２１と、排気ダクト５内に配置した排気温センサ２２およびバイメタルスイッチから成る第２オーバーヒートスイッチ２３（作動温度８５℃）と、回転ドラム２に取り付けた磁石２４ａと協働して回転ドラム２の回転を検出するドラム用回転検出器２４と、給排気ファン６に取り付けた磁石２５ａと協働して給排気ファン６の回転を検出するファン用回転検出器２５とが設けられている。
【００１６】
また、機体１の前面の操作パネル２６には、図２に示す如く、電源スイッチ２７、乾燥運転の開始や一時停止を指示するスタートスイッチ２８、衣類の乾燥運転のコース（標準、厚物、デリケート等）を選択するコース選択スイッチ２９および表示ユニット３０が設けられている。機体１内には、操作パネル２６に接続されるマイクロコンピュータから成るコントローラ３１が設けられており、上記各種センサ類からの信号がコントローラ３１に入力されている。
【００１７】
コントローラ３１は、電源スイッチ２７がオンされたときに立ち上げられる。そして、スタートスイッチ２８がオンされると、先ず、モータドライバ３２を介して駆動モータ７を起動し、次に、点火電極１３に高電圧を印加して火花放電を生じさせ、この状態で第１と第２の両電磁弁１０，１１を開弁してバーナ８にガスを供給し、バーナ８に点火して乾燥運転を行う。乾燥運転中は、比例弁１２の開度を調節してバーナ８の燃焼量を制御すると共に、駆動モータ７の回転速度を調節して給排気ファン６による給気量を制御し、回転ドラム２に供給する温風の熱量を運転状態に応じて変化させる。
【００１８】
また、コントローラ３１は、常時、異常の有無を監視している。即ち、第１サーモカップル１４からの信号に基づいてバーナ８の失火の有無を監視し、第２サーモカップル１５や第１オーバーヒートスイッチ１６からの信号に基づいてバーナ８の異常燃焼の有無を監視し、吹出温センサ１７からの信号に基づいて排気フィルタ４ａの目詰まりの有無を監視し（目詰まりを生ずると回転ドラム２からの排気不足による熱気の滞留で吹出温が上昇する）、排気温センサ２２や第２オーバーヒートスイッチ２３からの信号に基づいて排気温の異常上昇の有無を監視している。
【００１９】
ところで、乾燥運転中に、ドラム用ベルト２ａやファン用ベルト６ａが破断して、回転ドラム２や給排気ファン６の回転が停止することがある。そこで、コントローラ３１では、ドラム用回転検出器２４からの検出パルスに基づいて回転ドラム２の回転異常の有無と、ファン用回転検出器２５からの検出パルスに基づいて給排気ファン６の回転異常の有無とを監視している。
【００２０】
ドラム用異常診断処理の詳細は、図３（ａ）に示す通りであり、先ず、Ｓ１のステップでドラム用回転検出器２４から検出パルス（以下、ドラム回転パルスと記す）が発生されたか否かを判別し、ドラム回転パルスが発生されたときは、Ｓ２のステップでドラム用タイマＴＤを零リセットして、一回の処理を完了する。ドラム回転パルスが発生されていないときは、Ｓ３のステップでドラム用タイマＴＤの加算処理、即ち、直前のドラム回転パルスの発生時点からの経過時間を計時する処理が行われる。次に、Ｓ４のステップでドラム用タイマＴＤが所定の第１設定時間ＹＴ１を上回ったか否かが判別される。
【００２１】
第１設定時間ＹＴ１は、回転ドラム２が異常判別基準となる所定速度で回転しているときのドラム回転パルスの発生周期に合わせて設定されるもので、例えば、１０ｒｐｍの回転速度におけるドラム回転パルスの発生周期である６秒に設定される。ＴＤ＞ＹＴ１でなければ、Ｓ５のステップでドラム異常フラグＦＤを零リセットして、一回の処理を完了する。
【００２２】
ＴＤ＞ＹＴ１になったとき、即ち、直前のドラム回転パルスの発生時点からドラム回転パルスが発生されないまま第１設定時間ＹＴ１が経過したときは、Ｓ６のステップでドラム異常フラグＦＤを「１」にセットする。
ファン用異常診断処理の詳細は、図３（ｂ）に示す通りであり、先ず、Ｓ１１のステップでファン用回転検出器２５から検出パルス（以下、ファン回転パルスと記す）が発生されたか否かを判別し、ファン回転パルスが発生されたときは、Ｓ１２のステップでファン用タイマＴＦを零リセットして、一回の処理を完了する。ファン回転パルスが発生されていないときは、Ｓ１３のステップでファン用タイマＴＦの加算処理、即ち、直前のファン回転パルスの発生時点からの経過時間を計時する処理が行われる。次に、Ｓ１４のステップでファン用タイマＴＦが所定の第２設定時間ＹＴ２を上回ったか否かが判別される。
【００２３】
第２設定時間ＹＴ２は、回転ドラム２が異常判別基準となる所定速度で回転しているときのドラム回転パルスの発生周期に合わせて設定されるもので、例えば、３０ｒｐｍの回転速度におけるファン回転パルスの発生周期である２秒に設定される。ＴＦ＞ＹＴ２でなければ、Ｓ１５のステップでファン異常フラグＦＦを零リセットして、一回の処理を完了する。
【００２４】
ＴＦ＞ＹＴ２になったとき、即ち、直前のファン回転パルスの発生時点からファン回転パルスが発生されないまま第２設定時間ＹＴ２が経過したときは、Ｓ１６のステップでファン異常フラグＦＦを「１」にセットする。
【００２５】
また、コントローラ３１は、以上の如くして行う異常診断処理の結果に基づいて、図４に示す、異常対策処理を行う。この処理では、先ず、Ｓ２１のステップでファン異常フラグＦＦが「１」にセットされているか否かを判別し、ＦＦ＝１でなければ、Ｓ２２のステップでドラム異常フラグＦＤが「１」にセットされているか否かを判別し、ＦＤ＝１でなければ、Ｓ２３のステップで失火、異常燃焼、排気フィルタ４ａの目詰まり、排気温の異常上昇といった他の異常を生じているか否かを判別する。そして、他の異常も生じていなければ、Ｓ２４のステップに進み、乾燥運転を継続する。
【００２６】
Ｓ２３のステップで他の異常有りと判別されたときは、Ｓ２５のステップで表示ユニット３０にエラー表示すると共に、Ｓ２６のステップで第１と第２の両電磁弁１０，１１を閉弁し、バーナ８の燃焼を停止する。そして、Ｓ２７のステップで燃焼停止から第１の設定時間ＴＭ１（例えば、６分）が経過したか否かを判別し、経過したところで、Ｓ２８のステップに進んで駆動モータ７を停止し、一連の処理を完了する。第１設定時間ＴＭ１が経過するまでは、バーナ８の燃焼が停止された状態で駆動モータ７が継続作動される冷却運転が行われることになる。この状態では、回転ドラム２内に給排気ファン６の回転で冷風が送り込まれると共に、回転ドラム２の回転で衣類Ｍが攪拌され、衣類Ｍが効率良く冷却される。Ｓ２２のステップでＦＤ＝１と判別されたとき、即ち、回転ドラム２が異常と判別されたときは、Ｓ２９のステップでエラー表示すると共に、Ｓ３０のステップで両電磁弁１０，１１を閉弁してバーナ８の燃焼を停止する。次に、Ｓ３１のステップで燃焼停止から上記第１設定時間ＴＭ１よりも長く設定した第２の設定時間ＴＭ２（例えば、１３分）が経過したか否かを判別し、経過したところでＳ２８のステップに進み、駆動モータ７を停止する。従って、回転ドラム２の異常時は、第２設定時間ＴＭ２の冷却運転が行われる。この場合、回転ドラム２内に給排気ファン６の回転で冷風は送り込まれるが、回転ドラム２の回転による衣類Ｍの攪拌は十分に行われないため、冷却効率が悪くなる。然し、冷却運転の時間がＴＭ１からＴＭ２に長引くため、衣類Ｍは十分に冷却される。
【００２７】
Ｓ２１のステップでＦＦ＝１と判別されたとき、即ち、給排気ファン６が異常と判別されたときは、Ｓ３２のステップでエラー表示すると共に、Ｓ３３のステップで両電磁弁１０，１１を閉弁してバーナ８の燃焼を停止する。次に、Ｓ３４のステップで燃焼停止から上記第２設定時間ＴＭ２よりも長く設定した第３の設定時間ＴＭ３（例えば、７２分）が経過したか否かを判別し、経過したところでＳ２８のステップに進み、駆動モータ７を停止する。従って、給排気ファン６の異常時は、第３設定時間ＴＭ３の冷却運転が行われる。この場合、回転ドラム２内に冷風が送り込まれなくなるため、衣類Ｍの冷却は回転ドラム２の回転による攪拌下での自然放冷で行われことになり、冷却効率が更に悪くなる。然し、冷却運転の時間がＴＭ２からＴＭ３に更に長引くため、衣類Ｍは十分に冷却される。
【００２８】
以上、加熱手段としてバーナ８を用いる衣類乾燥機について説明したが、電気ヒータや温水を循環させる熱交換器等で加熱手段を構成する衣類乾燥機にも同様に本発明を適用できる。
【図面の簡単な説明】
【図１】本発明に係る衣類乾燥機の全体構成図。
【図２】衣類乾燥機の制御系のブロック図。
【図３】（ａ）回転ドラムの異常診断処理を示すフロー図、（ｂ）給排気ファンの異常診断処理を示すフロー図。
【図４】異常対策処理を示すフロー図。
【符号の説明】
２…回転ドラム  ６…給排気ファン  ７…駆動モータ  ８…バーナ（加熱手段）３１…コントローラ
【図１】
2004248902.tif 000003
【図２】
2004248902.tif 000004
【図３】
2004248902.tif 000005
【図４】
2004248902.tif 000006